(57)【要約】【課題】熱交換の効率を従来よりも向上させることが可能な空調ユニット、および空気調和装置の室外ユニットを提供する。【解決手段】空気調和装置１の室外機２は、凝縮器２０とケーシング４０とを備える。凝縮器２０は、第１熱交換部２１と、第１熱交換部２１の背面側に配置された第２熱交換部２２とを有し、第１熱交換部２１の正面側および第２熱交換部２２の背面側から、第１熱交換部２１と第２熱交換部２２との間の第１空間ＳＰ１へと空気が通り抜けるときに、熱交換を行なわせる。ケーシング４０は、側面部４３（図２参照）、背面部４２、および空気吸い込み口４１ａが形成された正面部４１を少なくとも有し、凝縮器２０を格納する。第１空間ＳＰ１と側面部４３との間に、第２熱交換部２２と背面部４２との間の第２空間ＳＰ２を空気吸い込み口４１ａに連通させる第１通風路２３が形成されている。【選択図】図５
2008075909.tif 000002
【特許請求の範囲】
【請求項１】
第１熱交換部（２１）と、前記第１熱交換部（２１）の背面側に配置された第２熱交換部（２２）とを有し、前記第１熱交換部（２１）の正面側および前記第２熱交換部（２２）の背面側から、前記第１熱交換部（２１）と前記第２熱交換部（２２）とに挟まれた第１空間（ＳＰ１）へと、空気が通り抜けるときに、内部を流れる冷媒と前記空気との間で熱交換を行わせる熱交換器（２０）と、
側面部（４３）、背面部（４２）、および空気吸い込み口（４１ａ）が形成された正面部（４１）を少なくとも有し、前記熱交換器（２０）を格納するケーシング（４０）と、
を備え、
前記第１空間（ＳＰ１）と前記側面部（４３）との間に、前記第２熱交換部（２２）と前記背面部（４２）との間の第２空間（ＳＰ２）を前記空気吸い込み口（４１ａ）に連通させる第１通風路（２３）が形成されている、
空調ユニット（２）。
【請求項２】
前記第１熱交換部（２１）の側端および前記第２熱交換部（２２）の側端の近傍の空間を前記第１空間（ＳＰ１）側と前記第１通風路（２３）側とに区画するように配置されている仕切り板（２９）をさらに備えている、
請求項１に記載の空調ユニット（２）。
【請求項３】
前記側面部（４３）は、正面視の左右両側に位置する左側面部（４３ｂ）および右側面部（４３ａ）から成り、
前記第１通風路（２３）は、前記第１空間（ＳＰ１）と前記左側面部（４３ｂ）との間および前記第１空間（ＳＰ１）と前記右側面部（４３ａ）との間にそれぞれ形成されている、
請求項１または２に記載の空調ユニット（２）。
【請求項４】
側面視において、前記第１熱交換部（２１）および前記第２熱交換部（２２）は略V字状に配置されている、
請求項１から３のいずれか１項に記載の空調ユニット（２）。
【請求項５】
前記第１熱交換部（２１）および前記第２熱交換部（２２）の下方において、前記第２空間（ＳＰ２）を前記空気吸い込み口（４１ａ）に連通させる第２通風路（２４）が形成されている、
請求項１から４のいずれか１項に記載の空調ユニット（２）。
【請求項６】
前記第１熱交換部（２１）と前記正面部（４１）との間において形成された第３空間（ＳＰ３）に配置された冷媒機器（１２，１３，１４，２７）をさらに備えている、
請求項１から５のいずれか１項に記載の空調ユニット（２）。
【請求項７】
前記空調ユニット（２）は、空気調和装置（１）の室外ユニットである、
請求項１から６のいずれか１項に記載の空調ユニット（２）。
【発明の詳細な説明】
【技術分野】
【０００１】
本発明は、空気を吸い込んで熱交換を行なう空調ユニットおよび空気調和装置の室外ユニットに関する。
【背景技術】
【０００２】
従来、空気調和装置の空調ユニット、例えば、室外ユニットでは、側面視において略V字となるように熱交換器を配置して室外ユニットの正面側または底側から空気を吸い込んで上側から排気しながら熱交換を行なうものがある。
【０００３】
このような室外ユニットの中には、例えば、特許文献１に示されるような電算機室の温度管理に用いられる冷房専用の空気調和装置の室外ユニットがある。
【特許文献１】特開平７−１９０４６０号公報（平成７年７月２８日公開）
【発明の開示】
【発明が解決しようとする課題】
【０００４】
しかしながら、上記従来の空気調和装置の室外ユニットでは、以下に示すような問題点を有している。
【０００５】
すなわち、室外ユニットの正面側から空気を吸い込んで上側から排気する場合には、側面視において略V字となるように配置した熱交換器の各熱交換部のうち、正面側に配置した熱交換部によって背面側の熱交換部への空気の流れが遮られる。また、上記略Ｖ字に配置された熱交換器の下方を通って背面側に配置された熱交換部にも空気が流れるがその量は少ない。そのため、背面側に配置された熱交換部へ供給する空気の供給量が不足する。このため、背面側に配置された熱交換部において、フルオロカーボン等の冷媒と周囲を通り抜ける空気との間における熱交換の効率が低下するという問題があった。
【０００６】
本発明の課題は、熱交換の効率を従来よりも向上させることが可能な空調ユニット、および空気調和装置の室外ユニットを提供することにある。
【課題を解決するための手段】
【０００７】
第１の発明に係る空調ユニットは、熱交換器と、ケーシングと、を備えている。熱交換器は、第１熱交換部と、第１熱交換部の背面側に配置された第２熱交換部とを有し、第１熱交換部の正面側および第２熱交換部の背面側から、第１熱交換部と第２熱交換部とに挟まれた第１空間へと、空気が通り抜けるときに、内部を流れる冷媒と空気との間で熱交換を行なわせる。ケーシングは、側面部、背面部、および空気吸い込み口が形成された正面部を少なくとも有し、熱交換器を格納する。第１空間と側面部との間に、第２熱交換部と背面部との間の第２空間を空気吸い込み口に連通させる第１通風路が形成されている。なお、空調ユニットには、空気調和装置の室外ユニットや室内ユニットが含まれる。
【０００８】
ここでは、第２空間を空気吸い込み口に連通させる第１通風路が、第１空間と側面部との間に形成されている。
【０００９】
これにより、第１通風路によって第２熱交換部へ第２空間を介して供給する空気の流量を増加させることができる。そのため、第２熱交換部において、冷媒と空気との間における熱交換の効率を高めることができる。
【００１０】
この結果、空調ユニットにおける熱交換の効率を従来よりも向上させることができる。
【００１１】
第２の発明に係る空調ユニットは、第１の発明に係る空調ユニットであって、仕切り板をさらに備えている。仕切り板は、第１熱交換部の側端および第２熱交換部の側端の近傍の空間を第１空間側と第１通風路側とに区画するように配置されている。
【００１２】
これにより、第１熱交換部の側端および第２熱交換部の側端の近傍の空間を第１空間側と第１通風路側とに区画するように仕切り板を配置して、第１空間と第１通風路とを分離することができる。このため、第１通風路を介して第２熱交換部へさらに効率良く空気を供給することができる。
【００１３】
この結果、第２熱交換部における冷媒と空気との間の熱交換の効率をさらに向上させることができる。
【００１４】
第３の発明に係る空調ユニットは、第１または第２の発明に係る空調ユニットであって、側面部は、正面視の左右両側に位置する左側面部および右側面部から成る。第１通風路は、第１空間と左側面部との間および第１空間と右側面部との間にそれぞれ形成されている。
【００１５】
これにより、空気吸い込み口から吸い込まれた空気を、第１空間と左側面部４３ｂとの間および第１空間と右側面部４３ａとの間においてそれぞれ形成された第１通風路から第２空間を介して第２熱交換部へより多く供給することができる。
【００１６】
このため、第２熱交換部における冷媒と空気との間における熱交換の効率をより向上させることができる。
【００１７】
第４の発明に係る空調ユニットは、第１から第３の発明のいずれか１つに係る空調ユニットであって、側面視において、第１熱交換部および第２熱交換部は略Ｖ字状に配置されている。
【００１８】
これにより、例えば、側面視において、各熱交換部（第１熱交換部、第２熱交換部）を略垂直にそれぞれ配置する場合と比較して、各熱交換部の略垂直方向の長さをより長くして伝熱面積を大きくすることができる。
【００１９】
このため、各熱交換部における熱交換の効率をさらに一層向上させることができる。
【００２０】
第５の発明に係る空調ユニットは、第１から第４の発明のいずれか１つに係る空調ユニットであって、第１熱交換部および第２熱交換部の下方において、第２空間を空気吸い込み口に連通させる第２通風路が形成されている。
【００２１】
これにより、空気吸い込み口から第２通風路を介して第２熱交換部へ空気を供給することができる。このため、第２熱交換部に対して供給する空気の流量をさらに増加させることができる。
【００２２】
この結果、第２熱交換部において冷媒と空気との間における熱交換の効率をより一層向上させることができる。
【００２３】
第６の発明に係る空調ユニットは、第１から第５の発明のいずれか１つに係る空調ユニットであって、第１熱交換部と正面部との間において形成された第３空間に配置された冷媒機器をさらに備えている。
【００２４】
ここで、冷媒機器には、レシーバ（受液器）、閉鎖弁等の弁、スイッチボックスのうち、少なくともいずれか１つが含まれる。
【００２５】
これにより、例えば、側面視において第１熱交換部および第２熱交換部が略V字状に配置されている場合には、正面部と第１熱交換部との間に形成された第３空間、すなわち側面視において略三角形状となる空間にレシーバ等の冷媒機器を配置することができる。そして、吸い込み口から吸い込まれた空気をレシーバやスイッチボックス等の冷媒機器の周りを回り込ませて下流側の第１熱交換部や第２熱交換部へ供給することができる。
【００２６】
このため、冷媒機器を設けることによって発生する吸い込み抵抗の増加を抑えて、下流側の第１熱交換部や第２熱交換部へ供給する空気の流量の減少を抑制することができる。
【００２７】
第７の発明に係る空調ユニットは、第１から第６の発明のいずれか１つに係る空調ユニットであって、空調ユニットは空気調和装置の室外ユニットである。
【００２８】
これにより、空気調和装置の室外ユニット（以下、室外ユニットと表記）において、上記発明にかかる空調ユニットと同様の効果を得ることができる。
【００２９】
このため、室外ユニットにおいて、第２熱交換部に対して供給する空気の流量を増加させることができる。
【００３０】
この結果、空気調和装置の室外ユニットにおける熱交換の効率を向上させることができる。
【発明の効果】
【００３１】
第１の発明に係る空調ユニットによれば、空調ユニットにおける熱交換の効率を従来よりも向上させることができる。
【００３２】
第２の発明に係る空調ユニットによれば、第２熱交換部における冷媒と空気との間の熱交換の効率をさらに向上させることができる。
【００３３】
第３の発明に係る空調ユニットによれば、第２熱交換部における冷媒と空気との間における熱交換の効率をより向上させることができる。
【００３４】
第４の発明に係る空調ユニットによれば、各熱交換部における熱交換の効率をさらに一層向上させることができる。
【００３５】
第５の発明に係る空調ユニットによれば、第２熱交換部において冷媒と空気との間における熱交換の効率をより一層向上させることができる。
【００３６】
第６の発明に係る空調ユニットによれば、冷媒機器を設けることによって発生する吸い込み抵抗の増加を抑えて、下流側の第１熱交換部や第２熱交換部へ供給する空気の流量の減少を抑制することができる。
【００３７】
第７の発明に係る空気調和装置の室外ユニットによれば、空気調和装置の室外ユニットにおける熱交換の効率を向上させることができる。
【発明を実施するための最良の形態】
【００３８】
本発明の一実施形態に係る室外機（空調ユニット、空気調和装置の室外ユニット）２を含む空気調和装置１について、図１〜図６を用いて説明すれば以下の通りである。
【００３９】
＜空気調和装置１全体の構成＞
空気調和装置１は、図１に示すように２系統の冷媒回路を有しており、電算機室の空調に用いられる冷房専用の空気調和装置である。
【００４０】
空気調和装置１は、図１に示すように、２系統のほぼ同一の冷媒回路から成り、屋外に配置された室外機２と電算機室に配置された室内機３とを備えている。
【００４１】
室外機２は、屋外において、各冷媒回路を循環するフルオロカーボンガス等の冷媒ガスと内部に吸い込んだ外気（空気）との間で熱交換を行なって冷媒ガスを冷却して液化する。（なお、室外機２については後段にて詳述する。）
【００４２】
室内機３は、各冷媒回路において、圧縮機１１と、膨張弁１５と、蒸発器１６と、冷媒ガス配管３０と、冷媒液配管３５と、ファン１７とを、それぞれ備えており、室外機２において熱交換を行った冷媒液の気化熱を利用して電算機室内の空気を所定の設定室温に保持する。
【００４３】
ここで、冷媒の循環経路について、空気調和装置１の２系統の冷媒回路のうち、一方の冷媒回路を例に挙げて説明すると以下の通りである。（なお、以下に表記する上流側と下流側とは、冷媒回路における冷媒流れの上流側と下流側という意味である。）
【００４４】
室内機３において、圧縮機１１は上流側の冷媒ガス配管３０から供給される低圧状態の冷媒ガスを圧縮して、高温高圧状態の冷媒ガスを作り出して下流側の室外機２へ冷媒ガス連絡配管３１を介して供給する。
【００４５】
ガス側閉鎖弁（冷媒機器）１２は、室外機２において最上流側の冷媒ガス配管３２に取り付けられており、開状態で保持されている。このため、上流側の冷媒ガス連絡配管３１から供給される高温高圧状態のガスを下流側の凝縮器２０へ冷媒ガス配管３２を介して供給することができる。（なお、ガス側閉鎖弁１２については後段にて詳述する。）
【００４６】
凝縮器（熱交換器）２０は、ガス側閉鎖弁１２の下流側に配置されており、上流側の冷媒ガス配管３２から供給される高温高圧状態の冷媒ガスを空気との熱交換によって冷却する。そして、冷媒ガスは、液化されて高温高圧の冷媒液として、下流側へ冷媒液配管３３を介して供給される。
【００４７】
レシーバタンク（冷媒機器）１３は、上流側の凝縮器２０において液化した冷媒を一時的に蓄えて、上流側から供給される冷媒液の中に混入しているガス状態の冷媒を分離して下流側の冷媒液配管３３に冷媒液のみを供給する。これにより、下流側の冷媒液配管３３に供給される冷媒液に冷媒ガスが混入することを防止することができる。
【００４８】
液側閉鎖弁（冷媒機器）１４は、室外機２において最下流側の冷媒液配管３３に取り付けられており、開状態で保持されている。このため、上流側のレシーバタンク１３から供給される冷媒液を下流側の室内機３へ冷媒液連絡配管３４を介して供給することができる。
【００４９】
なお、ガス側閉鎖弁１２および液側閉鎖弁１４は、室外機２の工場出荷時においては、内部に含まれる冷媒が漏出しないように閉状態で保持されている。そして、ガス側閉鎖弁１２および液側閉鎖弁１４は、所定の手順に従って、室外機２および室内機３を現地に設置して冷媒ガス連絡配管３１および冷媒液連絡配管３４をそれぞれ接続してから開状態とされる。
【００５０】
膨張弁１５は、室内機３において最上流側の冷媒液配管３５に設置されており、上流側の冷媒液連絡配管３４から供給される高圧状態の冷媒液を低圧状態に変化させて、下流側に配置された蒸発器１６へ供給する。
【００５１】
蒸発器１６は、上流側から供給される低圧状態の冷媒液の気化熱を利用して室内の空気の温度を下げる。そして、蒸発器１６において、冷媒液は、周囲の空気から気化熱を奪ってガス化して冷媒ガスとして冷媒ガス配管３０を介して下流側の圧縮機１１へ供給される。そして、圧縮機１１において、冷媒ガスは上記と同様に圧縮されて高温高圧状態となって、上記冷媒回路内を循環する。
【００５２】
＜室外機２の構成＞
室外機２は、図２〜図６に示すように、ケーシング４０と、２つのファン２８と、２つのガス側閉鎖弁１２と、２つのレシーバタンク１３と、２つの液側閉鎖弁１４と、凝縮器２０と、冷媒ガス配管３２と、冷媒液配管３３と、スイッチボックス（冷媒機器）２７と、を備えている箱形の室外機である。
【００５３】
ケーシング４０は、２つのファン２８と、２つのガス側閉鎖弁１２と、２つのレシーバタンク１３と、２つの液側閉鎖弁１４と、凝縮器２０と、冷媒ガス配管３２と、冷媒液配管３３と、スイッチボックス２７とを格納する箱状の筐体である。そして、ケーシング４０は、正面部４１と背面部４２と側面部４３と天井部４４とを有している。
【００５４】
正面部４１は、図２等に示すように、室外機２の正面側に配置された長方形状の金属板である。そして、正面部４１は、空気吸い込み口４１ａと、開口部４１ｂと、開口部４１ｃと、を有している。
【００５５】
空気吸い込み口４１ａは、図２に示すように、正面部４１において、中央部付近から下端にかけて長方形状に形成された開口部である。また、安全性を確保するために空気吸い込み口４１ａには金網等によって網状に形成されたカバー４１ｄが着脱可能に取り付けられている。
【００５６】
開口部４１ｂは、図２に示すように、空気吸い込み口４１ａの直上方に長方形状に形成されており、開口部４１ｂを覆うように長方形状の金属カバー４１ｅが取り付けられている。なお、金属カバー４１ｅの正面視における左右の両下端部は、蝶番（図示せず）を介して正面部４１に回転可能に支持されている。そして、上記左右の両下端部を支点として金属カバー４１ｅの上端部を正面視の手前側、すなわち背面部４２から正面部４１へ向かう方向に引き出すことができる。そのため、金属カバー４１ｅ回転させて開口部４１ｂを開けることができる。
【００５７】
開口部４１ｃは、図２に示すように、開口部４１ｂの直上方に長方形状に形成されている。そして、開口部４１ｃには、開口部４１ｃを覆うように長方形状の金属カバー４１ｆが着脱可能に取り付けられている。
【００５８】
これにより、メンテナンス作業の際には、必要に応じて、空気吸い込み口４１ａや開口部４１ｂ，４１ｃを開いて作業をスムーズに行なうことができる。
【００５９】
背面部４２は、図４〜６に示すように、室外機２の背面側に配置された長方形状の金属板である。
【００６０】
側面部４３は、正面視において、左右両側に位置する左側面部４３ｂおよび右側面部４３ａを組み合わせて構成されている。また、左側面部４３ｂおよび右側面部４３ａは、それぞれ長方形状の金属板である。
【００６１】
天井部４４は、室外機２の最上部に配置されており、網状に形成された開口部（図示せず）を設けている。また、ファン２８（後段にて詳述）によって下方の第１空間ＳＰ１から吸い上げられる空気が上記開口部を介して外部に排気される。
【００６２】
ここで、図４および図６に示すように、第１空間ＳＰ１は、第１熱交換部２１と第２熱交換部２２とに挟まれた空間、すなわち第１熱交換部２１と第２熱交換部２２との間において形成される空間である。また、第１空間ＳＰ１は、図６に示すように、側面視において略三角形となる空間である。（以下において、上流側および下流側とは、空気の流れにおける上流側および下流側を意味する。）
【００６３】
ファン２８は、図３に示すように、天井部４４の直下において、正面視の左右両側に１つずつ配置されており、下方の第１空間ＳＰ１（図６参照）の空気を上方の天井部４４から外部へ排気するためのプロペラファンである。
【００６４】
このように、第１空間ＳＰ１からファン２８が空気を吸い上げることによって、室外機２内を負圧状態とすることができる。これにより、空気吸い込み口４１ａから室外機２内に送風経路Ａ，Ｂ，Ｃ，Ｄ（後段にて詳述）に沿って外気を導入する空気流れが発生する。
【００６５】
凝縮器２０は、正面側に配置された第１熱交換部２１と背面側に配置された第２熱交換部２２とを有している。そして、第１熱交換部２１および第２熱交換部２２（以下、必要に応じて各熱交換部と表記）は、図５に示すように、側面視において略Ｖ字となるように配置されている。
【００６６】
これにより、側面視において各熱交換部を略垂直に設置する場合よりも、略垂直方向の長さ、すなわち高さ方向の長さをより長くして、各熱交換部の伝熱面積をより大きくすることができる。
【００６７】
＜室外機２における空気の流れ＞
第２空間ＳＰ２は、図５および図６に示すように、第２熱交換部２２と背面部４２との間の空間である。また、第３空間ＳＰ３は、正面部４１と第１熱交換部２１との間の空間である。そして、第２空間ＳＰ２および第３空間ＳＰ３は、それぞれ側面視において略直角三角形となる空間である。
【００６８】
なお、第３空間ＳＰ３には、空気吸い込み口４１ａから吸い込まれた空気が送風経路Ｄ（図６参照）に沿って供給される。そして、第３空間ＳＰ３に供給された空気は下流側の第１熱交換部２１（後段にて詳述）を通り抜けて第１空間ＳＰ１へと流れ込む。さらに、第１空間ＳＰ１に流れ込んだ空気は上方の天井部４４から外部へ排気される。
【００６９】
第１熱交換部２１は、図３〜６に示すように、凝縮器２０において、正面側に配置されている。そして、第１熱交換部２１は、上流側の第３空間ＳＰ３に供給された空気が第１熱交換部２１を正面側の第３空間ＳＰ３から背面側の第１空間ＳＰ１へ通り抜ける際に、前記空気と第１熱交換部２１の内部を流れる冷媒との間で熱交換を行なわせる。
【００７０】
第２熱交換部２２は、図４〜６に示すように、凝縮器２０において、背面側に配置されている。そして、第２熱交換部２２は、第２空間ＳＰ２へ供給された空気が第２熱交換部を背面側の第２空間ＳＰ２から正面側の第１空間ＳＰ１へ通り抜ける際に、前記空気と第２熱交換部２２の内部を流れる冷媒との間で熱交換を行なわせる。
【００７１】
第１通風路２３は、図４に示すように、第１空間ＳＰ１と左側面部４３ｂとの間および第１空間ＳＰ１と右側面部４３ａとの間にそれぞれ形成されており、第２空間ＳＰ２を空気吸い込み口４１ａにそれぞれ連通させている。そして、空気吸い込み口４１ａから吸い込まれた空気は、送風経路Ｂ，Ａに沿ってそれぞれ第２空間ＳＰ２へ供給される。なお、例えば、右側面部４３ａと仕切り板２９との間に形成されている第１通風路２３の横方向（正面視の左右方向）の幅は約１００ｍｍであり、左側面部４３ｂと仕切り板２９との間に形成されている第１通風路２３の横方向の幅は上記右側面部４３ａ側の第１通風路２３よりもやや狭くなっている。
【００７２】
これにより、空気吸い込み口４１ａから第１通風路２３を介して第２空間ＳＰ２へ空気を供給することができる。そして、第２空間ＳＰ２へ供給された空気は、第２空間ＳＰ２から背面側の第２熱交換部２２を通り抜けて第１空間ＳＰ１を経由して天井部４４から外部へ排気される。
【００７３】
また、第１空間ＳＰ１と右側面部４３ａとの間および第１空間ＳＰ１と左側面部４３ｂとの間において、第１通風路２３をそれぞれ設けることで、空気吸い込み口４１ａから第２空間ＳＰ２へより多くの空気を供給することができる。
【００７４】
仕切り板２９は、図４および図５に示すように、第１熱交換部２１および第２熱交換部２２の正面視における左右の両側端側において、第１熱交換部２１および第２熱交換部２２の側端の近傍の空間を第１空間ＳＰ１側と第１通風路２３側とに区画するようにそれぞれ配置されている。
【００７５】
これにより、第１空間ＳＰ１と第１通風路２３とを分離して、空気が第１通風路２３から第２熱交換部２２を経ずに第１空間ＳＰ１へ直接流れ込むことを防止することができる。このため、第１通風路２３から第２空間ＳＰ２へさらに効率良く空気を供給することができる。
【００７６】
第２通風路２４は、図６に示すように、第１熱交換部２１および第２熱交換部２２の下方において、第２空間ＳＰ２が空気吸い込み口４１ａに連通するように形成されている。そして、空気吸い込み口４１ａの下部から吸い込まれた空気は送風経路Ｃに沿って第２空間ＳＰ２へ供給される。さらに、第２空間ＳＰ２へ供給された空気は第２熱交換部２２を通り抜けて第１空間ＳＰ１を経由して上方の天井部４４から外部へ排気される。
【００７７】
これにより、第２熱交換部２２に対して供給する空気の流量をさらに増加させることができる。
【００７８】
＜室外機２における冷媒機器の配置＞
ここで、室外機２が備えている主な冷媒機器（ガス側閉鎖弁１２、レシーバタンク１３、液側閉鎖弁１４、スイッチボックス２７）は、図３および図４に示すように第３空間ＳＰ３にそれぞれ配置されており、その配置についてより具体的に説明すると以下の通りである。
【００７９】
ガス側閉鎖弁１２および液側閉鎖弁１４は、図３および図４に示すように、第３空間の正面視における右側に配置された冷媒ガス配管３２および冷媒液配管３３にそれぞれ２つずつ交互に取り付けられている。そして、ガス側閉鎖弁１２および液側閉鎖弁１４は、コイル（図示せず）等の部品をそれぞれ組み合わせて構成されている。
【００８０】
レシーバタンク１３は、円筒状の受液器であり、第３空間ＳＰ３の正面視における中央部付近において、空気吸い込み口４１ａに面するように２つ配置されている。
【００８１】
スイッチボックス２７は、第３空間ＳＰ３の正面視における左側に配置されており、上記冷媒機器やファン２８を駆動する制御基板等を有している。
【００８２】
これにより、正面部４１と第１熱交換部２１との間に形成された第３空間ＳＰ３、すなわち側面視において略三角形状となる空間に冷媒機器を配置することができる。そのため、空気吸い込み口４１ａから吸い込まれた空気はレシーバタンク１３やスイッチボックス２７等の冷媒機器の周囲の空間を回り込み下流側へ供給される。このように、冷媒機器を第３空間ＳＰ３に配置することで、冷媒機器の周囲に空気が下流側へとスムーズに通り抜けることが可能なスペースを確保することができる。このため、冷媒機器を設けることによって発生する吸い込み抵抗の増加を抑制しつつ、空気を下流側の第１熱交換部２１や第２熱交換部２２へ供給することができる。
【００８３】
また、このように、正面側の第３空間ＳＰ３に主な冷媒機器を集中的に配置することで、室外機２の正面側から冷媒機器への良好なアクセスを確保できる。そのため、洗浄等のメンテナンス作業時におる作業性を向上させるという効果もある。
【００８４】
上記のように、室外機２において、第２熱交換部２２に対して供給する空気の流量を増加させることができる。そのため、第２熱交換部２２における冷媒と空気との間における熱交換の効率を大幅に高めることができる。
【００８５】
＜室外機２の特徴＞
（１）
本実施形態の空気調和装置１の室外機２では、図５に示すように、凝縮器２０とケーシング４０とを備えている。凝縮器２０は、第１熱交換部２１と、第１熱交換部２１の背面側に配置された第２熱交換部２２とを有し、第１熱交換部２１の正面側および第２熱交換部２２の背面側から、第１熱交換部２１と第２熱交換部２２との間の第１空間ＳＰ１へと空気が通り抜けるときに、内部を流れる冷媒と空気との間で熱交換を行なわせる。ケーシング４０は、側面部４３（図２参照）、背面部４２、および空気吸い込み口４１ａが形成された正面部４１を少なくとも有し、凝縮器２０を格納する。第１空間ＳＰ１と側面部４３との間に、第２熱交換部２２と背面部４２との間の第２空間ＳＰ２を空気吸い込み口４１ａに連通させる第１通風路２３が形成されている。
【００８６】
一般に、空調ユニット、例えば、空気調和装置の室外ユニットの中には、正面側と背面側とにそれぞれ熱交換部を配置したものがある。
【００８７】
このような空調ユニットにおいて、正面側の空気吸い込み口から空気を吸い込む場合には、背面側に配置された熱交換部へ充分な外気（空気）を供給することができないという問題があった。
【００８８】
そこで、本発明の室外機２では、第２空間ＳＰ２を空気吸い込み口４１ａに連通させる第１通風路２３が第１空間ＳＰ１と側面部４３との間に形成されている。
【００８９】
これにより、空気吸い込み口４１ａから第１通風路２３を介して第２空間ＳＰ２へ空気を供給することができる。そして、第２空間ＳＰ２へ供給された空気は、第２空間ＳＰ２から第２熱交換部２２を通り抜けて第１空間ＳＰ１を経由して天井部４４から外部へ排気される。
【００９０】
このため、第１通風路２３によって第２熱交換部２２へ供給する空気の流量を増加させることができる。そのため、第２熱交換部２２における冷媒と空気との間の熱交換の効率を高めることができる。
【００９１】
この結果、空気調和装置１の室外機２における熱交換の効率を従来よりも良くすることができる。
【００９２】
（２）
本実施形態の空気調和装置１の室外機２では、図４に示すように、第１熱交換部２１の側端および第２熱交換部２２の側端の近傍の空間を第１空間ＳＰ１側と第１通風路２３側とに区画するように配置された仕切り板２９をさらに備えている。
【００９３】
これにより、仕切り板２９によって第１空間ＳＰ１と第１通風路２３とを分離して、空気が第１通風路２３から第２熱交換部２２を経ずに第１空間ＳＰ１へ直接流れ込むことを抑制することができる。このため、第１通風路２３から第２空間ＳＰ２へさらに効率良く空気を供給することができる。
【００９４】
この結果、第２熱交換部２２における冷媒と空気との間の熱交換の効率をさらに向上させることができる。
【００９５】
（３）
本実施形態の空気調和装置１の室外機２では、図４に示すように、側面部４３は、正面視の左右両側に位置する左側面部４３ｂ（図２参照）および右側面部４３ａ（図２参照）から成る。第１空間ＳＰ１と右側面部４３ａとの間および第１空間ＳＰ１と左側面部４３ｂとの間において、第１通風路２３がそれぞれ形成されている。
【００９６】
これにより、第１空間ＳＰ１と右側面部４３ａとの間および第１空間ＳＰ１と左側面部４３ｂとの間において、第１通風路２３をそれぞれ設けることで、空気吸い込み口４１ａから第２空間ＳＰ２へより多くの空気を供給することができる。
【００９７】
このため、第２空間ＳＰ２を介して第２熱交換部２２へ供給する空気の流量を一層増加させることができるので、第２熱交換部２２における冷媒と空気との間における熱交換の効率をより向上させることができる。
【００９８】
（４）
本実施形態の空気調和装置１の室外機２では、図５に示すように、側面視において第１熱交換部２１および第２熱交換部２２は略Ｖ字状に配置されている。
【００９９】
これにより、例えば、側面視において各熱交換部を略垂直に設置する場合よりも、略垂直方向の長さ、すなわち高さ方向の長さをより長くして、各熱交換部の伝熱面積をより大きくすることができる。
【０１００】
このため、各熱交換部を略Ｖ字状に配置することで熱交換の効率をさらに一層向上させることができる。
【０１０１】
（５）
本実施形態の空気調和装置１の室外機２では、図６に示すように、第１熱交換部２１および第２熱交換部２２の下方において、第２空間ＳＰ２を空気吸い込み口４１ａに連通させる第２通風路２４が形成されている。
【０１０２】
これにより、第２熱交換部２２に対して供給する空気の流量をさらに増加させることができる。
【０１０３】
このため、第２熱交換部２２に対して供給する空気の流量をさらに増加させて、第２熱交換部２２における冷媒と空気との間の熱交換の効率をより一層向上させることができる。
【０１０４】
（６）
本実施形態の空気調和装置１の室外機２では、図３に示すように、第１熱交換部２１と正面部４１との間の第３空間ＳＰ３に配置された冷媒機器（ガス側閉鎖弁１２、レシーバタンク１３、液側閉鎖弁１４、スイッチボックス２７）をさらに備えている。
【０１０５】
これにより、正面部４１と第１熱交換部２１との間に形成された第３空間ＳＰ３、すなわち側面視において略三角形状となる空間に冷媒機器を配置することができる。そのため、空気吸い込み口４１ａから吸い込まれた空気はレシーバタンク１３やスイッチボックス２７等の冷媒機器の周囲の空間を回り込み下流側へ供給される。このように、冷媒機器を第３空間ＳＰ３に配置することで、冷媒機器の周囲に空気が下流側へとスムーズに通り抜けることが可能なスペースを確保することができる。このため、冷媒機器を設けることによって発生する吸い込み抵抗の増加を抑制しつつ、空気を下流側の第１熱交換部２１や第２熱交換部２２へ供給することができる。
【０１０６】
この結果、下流側の第１熱交換部２１や第２熱交換部２２へ供給する空気の流量の減少を抑制することができる。
【０１０７】
（７）
本実施形態の空調ユニットは、空気調和装置１の室外機２である。
【０１０８】
これにより、室外機２において、第２熱交換部２２に対して供給する空気の流量を増加させることができる。このため、第２熱交換部２２における冷媒と空気との間における熱交換の効率を大幅に高めることができる。
【０１０９】
この結果、空気調和装置１の室外機２における冷却性能を格段に向上させることができる。
【０１１０】
＜他の実施形態＞
以上、本発明の一実施形態について説明したが、本発明は上記実施形態に限定されるものではなく、発明の要旨を逸脱しない範囲で種々の変更が可能である。
【０１１１】
（Ａ）
上記実施形態では、図４に示すように、右側面部４３ａと第１空間ＳＰ１との間に形成されている第１通風路２３の正面視における横方向の幅が約１００ｍｍである例を挙げて説明した。しかし、本発明はこれに限定されるものではない。
【０１１２】
例えば、室外機２における冷却性能や製造コストの面から問題が無い場合には、第１通風路２３の幅を１００ｍｍ以上となるようにしても良い。また、１００ｍｍ以下となるようにしてもよい。なお、左側面部４３ｂと第１空間ＳＰ１との間および右側面部４３ａと第１空間ＳＰ１との間においてそれぞれ形成された第１通風路２３の上記横方向の長さは同一であっても異なっていても良い。
【０１１３】
この場合にも、上記実施形態にかかる室外機２と同様の効果を得ることができる。
【０１１４】
（Ｂ）
上記実施形態では、図４に示すように、室外機２は、仕切り板２９を正面視の左右両側に備えている例を挙げて説明した。しかし、本発明はこれに限定されるものではない。
【０１１５】
例えば、第２空間ＳＰ２を介して第２熱交換部２２へ供給する空気の供給量を充分確保できる場合には、仕切り板２９を備えなくてもよい。
【０１１６】
この場合にも、上記実施形態にかかる室外機２と同様の効果を得ることができる。
【０１１７】
（Ｃ）
上記実施形態では、図４に示すように、右側面部４３ａと第１空間ＳＰ１との間、および左側面部４３ｂと第１空間ＳＰ１との間において、第１通風路２３がそれぞれ形成されている例を挙げて説明した。しかし、本発明はこれに限定されるものではない。
【０１１８】
例えば、室外機２内に配置される各冷媒機器のレイアウトの都合によって、上記のように、正面視の左右両側に第１通風路２３をそれぞれ形成することが難しい場合には、第１通風路は正面視の左右いずれか一方にだけ形成しても良い。
【０１１９】
この場合にも、上記実施形態にかかる室外機２と同様の効果を得ることができる。
【０１２０】
但し、この場合には、第１通風路２３を介して第２空間ＳＰ２へ供給できる空気の量が減少するので、上記実施形態のように正面視の左右両側に第１通風路２３を設ける方がより好ましい。
【０１２１】
（Ｄ）
上記実施形態では、図５に示すように、側面視において、略Ｖ字状に各熱交換部がそれぞれ配置されている例を挙げて説明した。しかし、本発明はこれに限定されるものではない。
【０１２２】
例えば、室外機２内に配置される各冷媒機器のレイアウトの都合によって必要な場合には、側面視において、略垂直や逆Ｖ字状に各熱交換部をそれぞれ配置しても良い。
【０１２３】
この場合にも、上記実施形態にかかる室外機２と同様の効果を得ることができる。
【０１２４】
但し、上記のように、略垂直に各熱交換部を配置する場合には、第１熱交換部２１および第２熱交換部２２における伝熱面積が小さくなるので、上記実施形態のように側面視において略V字状に各熱交換部を配置する方がより好ましい。また、上記のように、逆V字状に各熱交換部を配置する場合には、各冷媒機器の設置が困難になるおそれがあるので、上記実施形態のように略V字状に各熱交換部を配置する方がより好ましい。
【０１２５】
（Ｅ）
上記実施形態では、図６に示すように、第２通風路２４が第１熱交換部２１および第２熱交換部２２の下方において、第２空間ＳＰ２が空気吸い込み口４１ａに連通するように形成されている例を挙げて説明した。しかし、本発明はこれに限定されるものではない。
【０１２６】
例えば、室外機２の高さに制約がある場合には、第２通風路２４を設けなくてもよい。
【０１２７】
但し、この場合には、第２空間へ供給する空気の供給量が減少するので、上記実施形態のように第２通風路２４を設ける方がより好ましい。
【０１２８】
（Ｆ）
上記実施形態では、図６に示すように、第３空間ＳＰ３において、冷媒機器として、ガス側閉鎖弁１２、レシーバタンク１３、液側閉鎖弁１４、およびスイッチボックス２７を配置している例を挙げて説明した。しかし、本発明はこれに限定されるものではない。
【０１２９】
例えば、圧縮機を備えている室外機の場合には、圧縮機を第３空間に配置しても良い。
【０１３０】
また、例えば、室外機の仕様に応じて第３空間に配置する冷媒機器を適宜変更しても良い。
【０１３１】
これらの場合にも、上記実施形態にかかる室外機２と同様の効果を得ることができる。
【０１３２】
（Ｇ）
上記実施形態では、空調ユニットが空気調和装置１の室外機２である例を挙げて説明した。しかし、本発明はこれに限定されるものではない。
【０１３３】
例えば、空調ユニットは、空気調和装置の室内機であっても良い。
【０１３４】
この場合には、上記実施形態にかかる室外機２と同様に背面側の熱交換部における熱交換の効率を従来よりも向上させるといった効果を得ることができる。
【０１３５】
（Ｈ）
上記実施形態では、空気調和装置１は２系統の冷媒回路を組み合わせて構成されている例を挙げて説明した。しかし、本発明はこれに限定されるものではない。
【０１３６】
例えば、空気調和装置１の冷媒回路は１系統だけであっても良い。また、空気調和装置１は、３系統以上の冷媒回路を組み合わせて構成されていても良い。
【０１３７】
この場合にも、上記実施形態にかかる室外機２と同様の効果を得ることができる。
【０１３８】
（Ｉ）
上記実施形態では、空気調和装置１は冷房専用の空気調和装置である例を挙げて説明した。しかし、本発明はこれに限定されるものではない。
【０１３９】
例えば、空気調和装置１は冷暖兼用の空気調和装置であっても良い。
【０１４０】
この場合にも、冷暖兼用の空気調和装置の室外機において、上記実施形態にかかる室外機２と同様の効果を得ることができる。
【０１４１】
（Ｊ）
上記実施形態では、図２に示すように、空気吸い込み口４１ａには網状に形成されたカバー４１ｄが取り付けられている例を挙げて説明した。しかし、本発明はこれに限定されるものではない。
【０１４２】
例えば、カバー４１ｄはスリット状に形成されていても良い。
【０１４３】
この場合にも、上記実施形態にかかる室外機２と同様の効果を得ることができる。
【０１４４】
また、例えば、正面部４１の全面に空気吸い込み口４１ａを設けても良い。
【０１４５】
この場合には、空気吸い込み口４１ａの吸い込み面積が大きくなるので、吸い込み抵抗の低減を図ることができる。
【産業上の利用可能性】
【０１４６】
本発明の空調ユニットおよび空気調和装置の室外ユニットは、第２熱交換部における熱交換の効率を従来よりも高めるという効果を奏することから、空調ユニットや空気調和装置の室外ユニットに対して広く適用可能である。
【図面の簡単な説明】
【０１４７】
【図１】本発明の一実施形態に係る室外機を含む空気調和装置の冷媒回路を示す図。
【図２】図１に含まれる室外機の正面視における外観を示す図。
【図３】図２に示す室外機の正面視における内部構成を示す図。
【図４】図３に示す断面ＩＶにおける凝縮器およびその周辺の構成を示す矢視断面図。
【図５】図４に示す断面Ｖにおける凝縮器およびその周辺の構成を示す矢視断面図。
【図６】図４に示す断面ＶＩにおける凝縮器と周辺の構成を模式的に示す矢視断面図。
【符号の説明】
【０１４８】
１      空気調和装置
２      室外機（空調ユニット、空気調和装置の室外ユニット）
３      室内機
１１      圧縮機
１２      ガス側閉鎖弁（冷媒機器）
１３      レシーバタンク（冷媒機器）
１４      液側閉鎖弁（冷媒機器）
１５      膨張弁
１６      蒸発器
１７      ファン
２０      凝縮器（熱交換器）
２１      第１熱交換部
２２      第２熱交換部
２３      第１通風路
２４      第２通風路
２７      スイッチボックス（冷媒機器）
２８      ファン
２９      仕切り板
３０      冷媒ガス配管
３１      冷媒ガス連絡配管
３２      冷媒ガス配管
３３      冷媒液配管
３４      冷媒液連絡配管
３５      冷媒液配管
４０    ケーシング
４１    正面部
４１ａ  空気吸い込み口
４１ｂ  開口部
４１ｃ  開口部
４１ｄ  カバー
４１ｅ  金属カバー
４１ｆ  金属カバー
４２    背面部
４３    側面部
４３ａ  右側面部
４３ｂ  左側面部
４４    天井部
ＳＰ１  第１空間
ＳＰ２  第２空間
ＳＰ３  第３空間
【図１】
2008075909.tif 000003
【図２】
2008075909.tif 000004
【図３】
2008075909.tif 000005
【図４】
2008075909.tif 000006
【図５】
2008075909.tif 000007
【図６】
2008075909.tif 000008